(57)【要約】      （修正有）【課題】シートバックの背面に取付けるテーブルの使用、格納動作をスムーズする。【解決手段】テーブルＴをロッド１の先端に設けた圧縮コイルバネからなるバネ２で支持し、バネ２を収容する筒体３に前記ロッド１を挿入し、ロッド１に設けたロック溝１０に前記筒体３と一体のガイド部３Ａに設けたロック片５を係合可能に設けたことを特徴とする。【選択図】  図３
2005095288.tif 000002
【特許請求の範囲】
【請求項１】
一側縁をシートバックの背面上部に水平方向及び垂直方向に回動自在に取付けるテーブルと、
内部に圧縮コイルバネからなるバネを収容し上端を前記テーブルに回動可能に軸着する筒体と、
この筒体内に挿通し上端を前記バネを支持し、下端をシートバックの背面に傾動自在に枢着するロッドと、
このロッドと前記筒体下端に設けたガイド部との間に設けたロック機構とからなり、    該ロック機構は、ロッドに径方向に切欠形成したロック溝と、このロック溝に係合し前記ガイド部内にスライド自在に収容したロック片とを有する
車両用シートのテーブル取付機構。
【請求項２】
前記ロック機構には、ロッドに突設したピンと、このピンと前記ロック片とに各々係合する回動片と、この回動片を正逆方向に回動させるばねとを設けてなる請求項１記載の車両用シートのテーブル取付構造。
【発明の詳細な説明】
【技術分野】
【０００１】
本発明は自動車用シートなどの車両用シートのシートバック背面に設けるテーブル取付機構に関する。
【背景技術】
【０００２】
従来の自動車用シート、例えば、フロントシートのシートバック背面にはリャシートの乗員用のテーブルが折り畳み自在に設けてある。
【０００３】
このテーブルはその底面とテーブル下方のシートバック背面との間に設けたガスダンパー（ガススプリング）によって、テーブルを支持すると共に垂直状に折り畳んだ格納状態から水平状の使用状態に、或いは、その逆に回動する構造である。
【０００４】
従って、この従来品はガスダンパーを使用しているため、コスト高になっているが、ガスダンパーによって自動的にテーブルを格納状態から使用状態に回動することができるし、テーブルを徐々に使用状態、格納状態に移行できるため、使用性が頗る良い。
【０００５】
一方、テーブルをリンクを使用して折り畳み得るようにしたものがある（例えば、特許文献１参照）。
【０００６】
【特許文献１】特開平７−３１５０９７号公報
【発明の開示】
【発明が解決しようとする課題】
【０００７】
以上のリンクによってテーブルを折り畳む構造のものは、構造が簡単で低原価で提供できるが、格納状態から使用状態に、或いは、逆の状態に移行動作すると、急激にテーブルが回動する。
【０００８】
即ち、前記ガスダンパーでテーブルを支持するものの如く、徐々に移動できないため、高級感が得られない。
【０００９】
そこで、本発明は構造が簡単で、前記ガスダンパーで得られる機能が発揮できるテーブル取付構造を低原価で提供することを目的とする。
【課題を解決するための手段】
【００１０】
以上の目的を達成するための本発明に係る車両用シートのテーブル取付機構は、一側縁をシートバックの背面上部に水平方向及び垂直方向に回動自在に取付けるテーブルと、内部に圧縮コイルバネからなるバネを収容し上端を前記テーブルに回動可能に軸着する筒体と、この筒体内に挿通し上端を前記バネを支持し、下端をシートバックの背面に傾動自在に枢着するロッドと、このロッドと前記筒体下端に設けたガイド部との間に設けたロック機構とからなり、該ロック機構は、ロッドに径方向に切欠形成したロック溝と、このロック溝に係合し前記ガイド部内にスライド自在に収容したロック片とを有する構成である。
【００１１】
以上の構成により、バネの弾力によって折り畳み状態のテーブルは水平の使用状態になり、この使用状態から格納状態である折り畳み状態にするにはバネの弾力が作用しているため、テーブルはゆっくり下降する。
【００１２】
また、ロック機構には、ロッドに突設したピンと、このピンと前記ロック片とに各々係合する回動片と、この回動片を正逆方向に回動させるばねとを設けることにより、ロック機構に設けたばねの弾力がテーブルを折り畳み方向である格納方向と、水平状態の使用状態とに各々切替えて付勢させることができる。
そのため、テーブルの格納状態、使用状態の移行時にばねの弾力を利用できる。
【発明の効果】
【００１３】
本請求項１の発明によれば、ガスダンパーを使用せずに前記ガスダンパーと略同一の作用、効果が得られ、しかも構造簡単で低原価で提供できる。
【００１４】
また、本請求項２の発明によれば、ロック機構に設けたばねの弾力方向がテーブルを格納方向と使用方向に各々に切替ることができるので、テーブルの格納状態、使用状態を保持できる。
【発明を実施するための最良の形態】
【００１５】
本発明の一実施例を図面に基づいて説明する。
図１はテーブルＴの使用状態を示し、テーブルＴはシートバックＳＢの背面上部に、水平状にロッド１等によって支持されている。
【００１６】
テーブルＴは図２に示すように一側縁には左右一対の取付片６４、６４を回動軸６５、６５によって回動自在に枢着されている。図中６２、６２はテーブルＴの一側縁底面に一体に設けたヒンジブラケットを示す。
【００１７】
そして、テーブルＴの底面における略中央にはブラケット６３、６３が設けてあり、このブラケット６３、６３に樹脂製の筒体３の上端が軸６１で回動自在に枢着されている。
【００１８】
筒体３の下端にはガイド部３Ａが一体成形され、筒体３内に圧縮コイルバネからなるバネ２が装着され、このバネ２の下端は筒体３内に挿入するロッド１の上端部１２に突き当たるように取付けられ、また、ガイド部３Ａ内にはロック機構を構成するロック片５、回動片４、ネジリコイルばねからなるばね６を収容する空間部３Ｂが設けてある。
【００１９】
ロッド１は下端部１３をシートバックＳＢ背面略中央に固定片１４を介して傾動可能に軸着され、上端部１２近傍にロック溝１０が切欠形成され、このロック溝１０近傍のロッド１に、ロック溝１０に対して略９０度位相が異なる下方にピン１１が突設されている。
【００２０】
そして、以上の筒体３内及びガイド部３Ａの空間部３Ｂ内には、図３に示すように、バネ２、ロッド１の上部、ロック片５、回動片４、ばね６が装着される。
【００２１】
バネ２はその下端がロッド１の上端部に支持され、ロック片５はガイド部３Ａにロッド１の径方向ら向けて水平状に設けたスリット３１にスライド自在に装着され、回動片４は枢支ピン４３によって揺動自在に且つばね６の弾力によって正逆方向に付勢されている。
【００２２】
ロック片５にはロッド１を挿通する通孔５Ａが開孔され、この通孔５Ａの一端縁５１がロッド１のロック溝１０に係合することにより、ロッド１が筒体３にロックされる。この図３に示すロック状態が図１に示すテーブルＴの使用状態である。
【００２３】
そして、ロック片５には回動片４回動用のスリット５Ｂと回動片４の一部が挿入する挿入孔５Ｃとが開孔されている。
【００２４】
回動片４は一端側にロッド１のピン１１に突き当たる係止突起４０、４１と、前記挿通孔５Ｃ内に挿入してロック片５をスライドさせるスライド突起４２とが設けてあり、係止突起４０はロッド１を上向き、係止突起４１はロッド１を下向きに押圧する構造である。
【００２５】
また、回動片４の他端側には止孔４４を開孔し、この止孔４４に前記ばね６の一端６１を係止し、ばね６の他端６２はガイド部３Ａに係止している。
従って、回動片４は、その回転中心である枢支ピン４３とばね６の他端６２とを結ぶ線Ｎ1に対して、枢支ピン４３とばね６の一端６１を結ぶ線が図３に示すように下側に位置している状態、図７に示す状態においては、図３の時計回りに回動片４が回動するように付勢する。
【００２６】
そして、前記枢支ピン４３とばね６の他端６２とを結ぶ線Ｎ1に対して枢支ピン４３とばね６の一端６１を結ぶ線が図３の状態で上側に位置すると、即ち、例えば図８の状態にテーブルＴが回動した状態で、図３の反時計回りに回動片４が回動するように付勢する。
【００２７】
従って、ばね６の弾力が回動片４に対して筒体３内のバネ２の伸縮状態によって正逆方向に切替えできるように構成されている。
【００２８】
以上の回動片４の回動によってロック片５は、図４に示すように、前後にスリット３１内をスライドし、ロッド１のロック機構１０に対して係脱する。
【００２９】
図１、図３及び図７に示すテーブルＴの使用状態から、テーブルＴをシートバックＳＢの背面に沿うように垂直状に折り畳む動作時の状態を示し、テーブルＴをバネ２の弾力に抗して上方に持ち上げると、係止突起４０がロッド１のピン１１に突き当てるため、図３の状態で回動片４が反時計回りに回動する。
【００３０】
そのため、回動片４と一体のスライド突起４２がロック片５をロッド１のロック溝１０に係合しているロック状態から、ロック解除方向にスライドさせてロックを解除する。
【００３１】
そして、この回動片４の回動により、回動片４は図５に示す状態になる。即ち、回動片４の回転中心とばね６の他端６２とを結ぶ線Ｎ1に対して、回動片４の回転中心とばね６の一端６１を結ぶ線が上方に位置するため、ばね６の弾力は回動片４を時計回りに付勢する。
【００３２】
更に、テーブルＴを下方に押し下げると、図６、図８に示すように、ロッド１がバネ２を圧縮させ乍ら筒体３内に挿入する。そして、回動片４は、前記回転中心とばね６の一端６１を結ぶ線が、回動片４の回転中心とばね６の他端６２を結ぶ線Ｎ1に対して下方に位置するため、ばね６の弾力は回動片４が時計回りに回動するように付勢するため、ロック片５の一端縁５１にロッド１の外周に圧接する。
【００３３】
また、図８に示すように、ロッド１及びバネ３の軸線が、テーブルＴの回動中心である回動軸６５とロッド１の下端の固定片１４に対する軸着部とを結ぶ線Ｎ2に対して内側に位置するため、圧縮されたバネ３の弾力はテーブルＴを格納方向である矢印方向に付勢する。
【００３４】
そのため、図８に示すテーブルＴの格納状態において、テーブルＴが図７に示す使用状態方向に回動することがなくロックされる。
【００３５】
そして、図８に示すテーブルＴの格納状態から、テーブルＴをバネ３の弾力に抗して手前に引くと、ロッド１及びバネ３の軸線が前記回動軸６５と軸着部とを結ぶ線Ｎ2に対して外側に位置するため、バネ３の弾力はテーブルＴを外方に押し上げる力に作用する。
【００３６】
そのため、テーブルＴはバネ３の弾力で徐々に上方に回動して、図１、３、７の使用状態になり、ロック片５がロッド１のロック溝１０に係合してロックされる。
【００３７】
以上のテーブルＴが使用状態に回動する際、テーブルＴは使用状態に近ずくに従って、バネ３の弾力が弱くなるため、テーブルＴの上昇速度は遅くなる。
従って、テーブルＴが急激に回動して使用状態になることがない。
【００３８】
なお、前記ロッド１のピン１１に突き当たって、ピン１１を乗り越えて回動片４は回動できるように、ロック片５に設けたスリット５Ｂ、挿入孔５Ｃは回動片４の回動方向に大径に形成されている。
【図面の簡単な説明】
【００３９】
【図１】本発明に係るテーブル取付機構を有するテーブルの使用状態を示す斜視図である。
【図２】本発明の要部の分解斜視図である。
【図３】図１の状態における要部の断面図である。
【図４】本発明の要部の斜視図である。
【図５】図３の状態よりロックを解除した状態を示す断面図である。
【図６】テーブルの格納状態を示す部分断面図である。
【図７】テーブルの使用状態を示す断面図である。
【図８】テーブルの格納状態を示す側面図である。
【符号の説明】
【００４０】
Ｔ  テーブル
ＳＢ  シートバック
１  ロッド
２  バネ
３  筒体
３Ａ  ガイド部
４  回動片
５  ロック片
６  ばね
１０  ロック溝
１１  ピン
【図１】
2005095288.tif 000003
【図２】
2005095288.tif 000004
【図３】
2005095288.tif 000005
【図４】
2005095288.tif 000006
【図５】
2005095288.tif 000007
【図６】
2005095288.tif 000008
【図７】
2005095288.tif 000009
【図８】
2005095288.tif 000010